(57)【要約】      （修正有）【課題】  トレーディングカード等の収集・交換するための定型の部材を提供するためのものであって、ゴミなどの発生の問題をなくし、かつ保存のために特段の手段を必要としない本を提供する。【解決手段】  少なくとも１つの折部により連接した面を閉じ合わせてなる本であって、前記本の内面の少なくとも一面に、前記面と略同型の複数の孔を有する収納部を添付し、前記孔に、表面と裏面の両方に画像を有する部材を複数個嵌め込んでなることを特徴とする。【選択図】  図１
2005053171.tif 000002
【特許請求の範囲】
【請求項１】
少なくとも１つの折部により連接した面を閉じ合わせてなる本であって、前記本の内面の少なくとも一面に、前記面と略同型の複数の孔を有する収納部を添付し、前記孔に、表面と裏面の両方に画像を有する部材を複数個嵌め込んでなることを特徴とする本。
【請求項２】
前記孔は、名刺大サイズあるいはトレーディングカードサイズからなる同一サイズであることを特徴とする請求項１記載の本。
【請求項３】
前記部材は表面と裏面に画像を有するカードであることを特徴とする請求項１あるいは２のいずれか記載の本
【請求項４】
前記部材は、表面と裏面に画像を有する小冊子であることを特徴とする請求項１あるいは２のいずれか記載の本。
【請求項５】
前記部材は、レーベル面に印刷を施したカード型情報記録媒体と背面に画像印刷を施し表面に粘着部を設けたカード型保護材とを貼着してなるカード型情報記録部材であることを特徴とする請求項１あるいは２のいずれか記載の本。
【請求項６】
前記本の内面の少なくとも一面に冊子体を添付したことを特徴とする請求項１〜５のいずれか記載の本。
【発明の詳細な説明】
【技術分野】
【０００１】
本発明は人気タレントやスポーツ選手、漫画のキャラクターイラストなどの画像を設けたカードやカード型情報記録媒体、小冊子などを内部に綴じ込んだ形態の本に関する。
【背景技術】
【０００２】
従来より人気タレントやスポーツ選手、漫画のキャラクターイラストなどの画像を設けたカードが広く出回りファンの間では収集したり交換したりする、いわゆるトレーディングカードと呼ばれるものが出回っている。これらは複数毎のカードを袋に入れた状態で販売され、買って見るまではどのようなカードが入手できるかわからないものである。
【０００３】
しかしながらこのような袋はカード入手後は不要となるものであって大量のゴミとなる。また、カード自体の保存のためには、別途スリーブと呼ばれる透明のプラスチック袋やシートと呼ばれる透明のプラスチックシートを必要としていた。
【０００４】
また、最近ではこのようなファンの間で収集したり交換したりするものはトレーディングカードに限らず、カード型ＣＤなどの音声、画像を記録した情報記録媒体、小型の小冊子タイプのものなど、大きさは同じカード型であってもその多様化が進んできている。
【発明の開示】
【発明が解決しようとする課題】
【０００５】
本発明はこのような問題点を解決するためになされたものであり、その課題としては、トレーディングカード等の収集・交換するための定型の部材を提供するためのものであって、ゴミなどの発生の問題をなくし、かつ保存のために特段の手段を必要としないような本を提供することを課題とする。
【課題を解決するための手段】
【０００６】
本発明はこのような課題を解決するためのものであり、請求項１記載の発明は少なくとも１つの折部により連接した面を閉じ合わせてなる本であって、前記本の内面の少なくとも一面に、前記面と略同型の複数の孔を有する収納部を添付し、前記孔に、表面と裏面の両方に画像を有する部材を複数個嵌め込んでなることを特徴とする本である。
【０００７】
請求項２記載の発明は、前記孔は、名刺大サイズあるいはトレーディングカードサイズからなる同一サイズであることを特徴とする請求項１記載の本である。
【０００８】
請求項３記載の発明は、前記部材は表面と裏面に画像を有するカードであることを特徴とする請求項１あるいは２のいずれか記載の本である。
【０００９】
請求項４記載の発明は、前記部材は、表面と裏面に画像を有する小冊子であることを特徴とする請求項１あるいは２のいずれか記載の本である。
【００１０】
請求項５記載の発明は、前記部材は、レーベル面に印刷を施したカード型情報記録媒体と背面に画像印刷を施し表面に粘着部を設けたカード型カード保護材とを貼着してなるカード型情報記録部材であることを特徴とする請求項１あるいは２のいずれか記載の本である。
【００１１】
請求項６記載の発明は、前記本の内面の少なくとも一面に冊子体を添付したことを特徴とする請求項１〜５のいずれか記載の本である。
【発明の効果】
【００１２】
請求項１記載の発明によれば、複数の部材を本に収納した形で購買者に部材の種類がわからない状態で提供できるものとなり、部材に関して別途包装を必要とせず、部材は本に収納可能となる。さらに部材の表裏を違えて収納したり、同系の部材を複数の箇所の収納しているものであれば、部材をもとの位置ではない箇所に収納したりすることで、パズル的要素を設ルことが可能となるという作用効果を奏する。
【００１３】
請求項２記載の発明によれば、部材がはめ込まれる孔を定型のものとすることで、定形の部材に対応できるばかりでなく、この本と同じ本による部材の他の種類のものを嵌め込み可能となり、さらには同じ定形のものであれば全く異なる部材のものも嵌め込み可能となるという作用効果を奏する。
【００１４】
請求項３，４，５の発明によれば、部材として、それぞれカード、保持体を添付したカード型情報記録媒体、小冊子等を嵌め込み可能となり、これらは一種類でも良いし、複数種類のものたとえば小冊子複数と情報記録媒体１つなど適宜組み合わせてはめ込むことが可能となるという作用効果を奏する。カード型情報記録媒体は、記録面に印刷を施すのが困難であることと記録面の保護のため、背面に画像印刷を施し表面に粘着部を設けたカード型保護材を粘着することで、レーベル面と保護材背面の印刷を表面と背面に有するような部材としてはめ込むことが好適に行われることとなる。
【００１５】
請求項６記載の発明によれば、この本に冊子体を添付することで部材以外に文字情報、画像情報をこれら部材と組み合わせて提供可能となる。この冊子体を孔を設けた内面の上に設ければ部材が外れるのを防止することも可能であるし、孔を設けない内面の上に設ければ見開いたときの見栄えのよいものとなるという作用効果を奏する。
【発明を実施するための最良の形態】
【００１６】
本発明の最良の形態としては、まず片面B４サイズの見開き本であって、厚さが約１．３ｍｍの上製本タイプのものを販売時にシュリンクフィルム等で包装したものが販売形態として安定して最も好ましいものとなる。この見開きの片面にこの面と略同じタテヨコ寸法で厚さ７ｍｍのウレタン系発泡材の収納部にトレーディングカードサイズの孔を縦長方向に３×３に配置するのが、ほぼ全面に図柄が配置されるので最も好ましいものとなる。この孔にトレーディングカードサイズで厚さが６ｍｍ程度の上製本タイプの小冊子をはめ込むものが、厚みが取れるので、安定して出し入れが可能であるので最も好ましいものとなる。
【実施例１】
【００１７】
図１に本発明の一実施例である上記最良の形態を示した。見開きの面２の右側に部材をはめ込む孔５を設けた収納部４を添付したものであり、周辺部の孔に小冊子６からなる部材を嵌め込み、中心部の孔にはカードとカード型情報記録媒体６‘をはめ込んでおり、これらは任意のものがはめ込むことが可能であるので、同じカード型であってもどのようなものがはめ込まれているのかは開くまで見ることが出来ず、開く楽しみが楽しめるものとなる。
【実施例２】
【００１８】
図２に本発明の他の一実施例の形態を示す。収納部を設けた内面の左側の面をまず閉じ込み、さらにその上から収納部を設けた面の右側の面を閉じ込むものであり、これにより部材の外れや落ちなどを防止する効果が上がるものとなる。さらに一回開いただけでは部材を見ることが出来ず、開く楽しみが楽しめるものとなる。
【実施例３】
【００１９】
図３に本発明の他の一実施例の形態を示す。収納部を真ん中の面と右側の面に設けたものであって、図２に示すものと同様の閉じ方により閉じ合わせが可能となる。これにより多数の部材を収納することが可能となり、かつ右の一面だけ開いた状態と全面を開いた上体の2通りの展開状態があることで見た目の変化も楽しめるものとなる。
【実施例４】
【００２０】
図４に本発明の他の一実施例の形態を示す。収納部を設けた下面に折部を設けて連接した面を設け、これを閉じ合わせてから収納部の左側の面を閉じあわせる。これによって本を立てた状態でも部材が落ちるのを防止することが可能となる。
【実施例５】
【００２１】
図５に本発明の他の一実施例の形態を示す。収納部の大きさが異なるものを設けることによって、部材の大きさの異なる物も嵌め込み可能となる。これにより中型の小冊子またはケースに入れたディスク型情報記録媒体なども収納可能となる。
【実施例６】
【００２２】
図６に本発明の他の一実施例の形態を示す。収納部の左側の面に冊子体を添付することで、本開いた状態でそのまま冊子体を読むことが可能であり、かつ本から冊子体を取り外して別に保存することも可能となる。
【産業上の利用可能性】
【００２３】
本発明は、内部に小冊子、カード、情報記録媒体等、冊子体を収納した本に関し、トレーディングカードなどのうち、特にプレミア性の高い商品の販売形態として利用可能である。さらにはこれらの媒体を収集した後も保存できるものとして、また嵌め込みに関しては全体で一つの絵となるものや、部材を取り出した孔の底面に印刷を施したり等の各種パズル的な要素などを追加することも可能である。
【図面の簡単な説明】
【００２４】
【図１】本発明の一実施例にかかる本の構成を示す説明図である。
【図２】本発明の一実施例にかかる本の構成を示す説明図である。
【図３】本発明の一実施例にかかる本の構成を示す説明図である。
【図４】本発明の一実施例にかかる本の構成を示す説明図である。
【図５】本発明の一実施例にかかる本の構成を示す説明図である。
【図６】本発明の一実施例にかかる本の構成を示す説明図である。
【符号の説明】
【００２５】
１…折部
２…面
３…本
４…収納部
５…孔
６…部材
７…冊子体
【図１】
2005053171.tif 000003
【図２】
2005053171.tif 000004
【図３】
2005053171.tif 000005
【図４】
2005053171.tif 000006
【図５】
2005053171.tif 000007
【図６】
2005053171.tif 000008